(57)【要約】【課題】本発明の目的は、大型化を抑制しつつ、シールド部材とシールド電線との接触状態を維持することができるシールドコネクタを提供することにある。【解決手段】シールドコネクタ１は、端子金具２と、該端子金具を収容するハウジング３と、端子金具に接続される電線４を電気的にシールドするシールド部材５と、を備え、シールド部材は、電線を挟んで保持する一対の分割部７、８を備えて構成され、一対の分割部には、それぞれに、電線を保持する電線保持部７Ａ、８Ａと、貫通することで電線保持部同士をボルト締結する締結部７Ｂ、８Ｂと、が設けられ、一対の分割部のうち、少なくとも一方において、締結部が、電線保持部よりもボルトが貫通する方向に突出して設けられ、かつ、電線保持部から締結部と同じ方向に突出して設けられているとともに、締結部の電線保持部よりも突出した部分に連続して形成されて電線保持部を補強する補強部８５を有している。【選択図】図１
2015011947.tif 000002
【特許請求の範囲】
【請求項１】
端子金具と、
該端子金具を収容するハウジングと、
前記端子金具に接続される電線を電気的にシールドするシールド部材と、を備えたシールドコネクタであって、
前記シールド部材は、前記電線を挟んで保持する一対の分割部を備えて構成され、
前記一対の分割部には、それぞれに、前記電線を保持する電線保持部と、貫通することで前記電線保持部同士をボルト締結する締結部と、が設けられ、
前記一対の分割部のうち、少なくとも一方において、前記締結部が、前記電線保持部よりも前記ボルトが貫通する方向に突出して設けられ、かつ、前記電線保持部から前記締結部と同じ方向に突出して設けられているとともに、前記締結部の前記電線保持部よりも突出した部分に連続して形成されて前記電線保持部を補強する補強部を有していることを特徴とするシールドコネクタ。
【請求項２】
前記電線保持部には、複数の前記電線が並んで保持され、
前記補強部が、前記複数の電線のうち、前記締結部から最も離れた前記電線まで延在して設けられていることを特徴とする請求項１記載のシールドコネクタ。
【請求項３】
前記補強部は、前記締結部から離れるに従って、前記電線保持部に近付く方向に傾斜するように形成されていることを特徴とする請求項１又は請求項２記載のシールドコネクタ。
【請求項４】
前記シールド部材には、前記一対の分割部を被取付部に取り付ける取付部が設けられ、
前記取付部は、前記一対の分割部から前記電線の径方向の一方側に突出して設けられ、
前記締結部は、前記電線保持部を挟んで前記取付部の反対側である前記電線の径方向の他方側に突出して設けられていることを特徴とする請求項１乃至請求項３のうちいずれか一項記載のシールドコネクタ。
【発明の詳細な説明】
【技術分野】
【０００１】
本発明は、端子金具と、該端子金具を収容するハウジングと、端子金具に接続される電線を電気的にシールドするシールド部材と、を備えたシールドコネクタに関する。
【背景技術】
【０００２】
移動体としての自動車には、多種多様な電子機器が搭載されている。この電子機器に電力や制御信号などを伝えるためにワイヤハーネスが用いられる。ワイヤハーネスは、複数の電線と電線の端末に取り付けられるコネクタとを備えている。
【０００３】
前述した自動車には、例えば、電気自動車、ハイブリッド車や燃料電池車において走行用のモータには高電圧の電力が供給されるので、前述したモータに電力等を供給する電線やコネクタの端子金具から外部へ電気的なノイズが漏洩したり、該電線や該端子金具から他の電線や他の端子金具へ電気的なノイズが流入したりするといった問題があった。
【０００４】
このような問題を解決する技術として、例えば、図６に示すようなシールドコネクタが開示されている（特許文献１参照）。特許文献１に記載されたシールドコネクタとしてのワイヤハーネス側のシールドコネクタ１０１は、シールド機能を有するアウタケース１１０と、図示しない接続端子を収容するハウジング１２０と、を備える。
【０００５】
アウタケース１１０は、電磁波の遮蔽及びアースを行うためのシールド機能を有するシールドシェル１１１と、シールドシェル１１１にネジ部材１１２の螺合により固定されるシェルホルダ１１３とから構成される。ハウジング１２０は、アウタケース１１０のシールドシェル１１１内に係合される。ハウジング１２０は、複数のシールド電線１３０の端部（前端部）にそれぞれ圧着固定された接続端子を収容し、接続端子の保持及び絶縁を行う。
【０００６】
シールドシェル１１１の後端部付近において、外周側に折り返された各シールド電線１３０の編組の外周にはそれぞれ、シールドターミナル１３１が、編組と導通状態で加締めにより固定される。
【０００７】
シールドターミナル１３１は、シールドシェル１１１にシェルホルダ１１３が固定された状態で、シールド電線１３０の編組をシールドシェル１１１にアースさせる。即ち、シールドターミナル１３１は、シールドシェル１１１にシェルホルダ１１３がネジ部材１１２の螺合により固定された状態で、表面をシールドシェル１１１の内壁に設けられた図示しない突起部とともにシェルホルダ１１３により挟まれる。螺合されるネジ部材１１２の軸力により、シールド電線１３０の編組が、シールドシェル１１１に導通され、シールドシェル１１１にアースされる。
【０００８】
このような従来のシールドコネクタ１０１は、シールドシェル１１１とシェルホルダ１１３とが、シールド電線１３０間で、ネジ部材１１２の螺合により固定されていたから、ネジ部材１１２に螺合される螺合部１１４からシールドシェル１１１及びシェルホルダ１１３の両端部（アウタケース１１０の両端部）までの寸法が比較的小さく設けられていることとなり、螺合されるネジ部材１１２の軸力がアウタケース１１０の両端部まで作用することで、シールド電線１３０の編組がシールドシェル１１１に接触されていた。
【先行技術文献】
【特許文献】
【０００９】
【特許文献１】特開２００７−１１５４２８号公報
【発明の概要】
【発明が解決しようとする課題】
【００１０】
しかしながら、上述した従来のシールドコネクタ１０１において、シールドシェル１１１とシェルホルダ１１３とが、シールド電線１３０間で、ネジ部材１１２の螺合により固定されていたから、シールド電線１３０間ピッチが大きく形成されていることとなり、螺合部１１４を含んだシールドシェル１１１及びシェルホルダ１１３（アウタケース１１０）が、シールド電線１３０が並ぶ方向（矢印Ｘ方向）に大型化する問題があった。このため、螺合部１１４をシールドシェル１１１及びシェルホルダ１１３（以下、「シェル本体」と記す）の一端部に移動させることで、シェル本体の螺合部１１４の寸法分の小型化を試みていたが、そうすると、螺合部１１４からシェル本体の他端部までの寸法が比較的大きく設けられていることとなり、螺合されるネジ部材１１２の軸力が、シェル本体の他端部まで作用しなくなり、さらに、シェル本体の剛性が足りないため、シェルホルダ１１３が、ネジ部材１１２を螺合した際のシールドターミナル１３１の反発力に負けて変形し、シェルホルダ１１３の他端部が浮いてしまって、シェルホルダ１１３とシールドターミナル１３１とが接触できなくなる虞れがあった。または、シールド電線１３０の太さや用いられるシールド電線１３０の本数に因って、螺合部１１４からシェル本体の他端部までの寸法が比較的大きく設けられていることとなり、シェルホルダ１１３とシールドターミナル１３１とが接触できなくなる虞れがあった。このため、シェル本体の両端部をネジ部材１１２を用いて締結することが考えられていたが、螺合部１１４が２つ並んで設けられていることとなり、アウタケース１１０がシールド電線１３０の並び方向に大型化してしまう。即ち、アウタケース１１０のシールド電線１３０の並び方向の大型化を抑制しつつ、シェルホルダ１１３とシールドターミナルとの接触状態を維持することが困難であった。
【００１１】
本発明の目的は、大型化を抑制しつつ、シールド部材とシールド電線との接触状態を維持することができるシールドコネクタを提供することにある。
【課題を解決するための手段】
【００１２】
請求項１に記載の本発明は、端子金具と、該端子金具を収容するハウジングと、前記端子金具に接続される電線を電気的にシールドするシールド部材と、を備えたシールドコネクタであって、前記シールド部材は、前記電線を挟んで保持する一対の分割部を備えて構成され、前記一対の分割部には、それぞれに、前記電線を保持する電線保持部と、貫通することで前記電線保持部同士をボルト締結する締結部と、が設けられ、前記一対の分割部のうち、少なくとも一方において、前記締結部が、前記電線保持部よりも前記ボルトが貫通する方向に突出して設けられ、かつ、前記電線保持部から前記締結部と同じ方向に突出して設けられているとともに、前記締結部の前記電線保持部よりも突出した部分に連続して形成されて前記電線保持部を補強する補強部を有していることを特徴とするシールドコネクタである。
【００１３】
請求項２に記載の本発明は、請求項１に記載されたシールドコネクタにおいて、前記電線保持部には、複数の前記電線が並んで保持され、前記補強部が、前記複数の電線のうち、前記締結部から最も離れた前記電線まで延在して設けられていることを特徴とする。
【００１４】
請求項３に記載の本発明は、請求項１又は請求項２に記載されたシールドコネクタにおいて、前記補強部は、前記締結部から離れるに従って、前記電線保持部に近付く方向に傾斜するように形成されていることを特徴とする。
【００１５】
請求項４に記載の本発明は、請求項１乃至請求項３のうちいずれか一項記載のシールドコネクタにおいて、前記シールド部材には、前記一対の分割部を被取付部に取り付ける取付部が設けられ、前記取付部は、前記一対の分割部から前記電線の径方向の一方側に突出して設けられ、前記締結部は、前記電線保持部を挟んで前記取付部の反対側である前記電線の径方向の他方側に突出して設けられていることを特徴とする。
【発明の効果】
【００１６】
請求項１記載の本発明によれば、一対の分割部のうち、少なくとも一方において、締結部が、電線保持部よりもボルトが貫通する方向に突出して設けられ、かつ、電線保持部から締結部と同じ方向に突出して設けられているとともに、締結部の電線保持部よりも突出した部分に連続して形成されて電線保持部を補強する補強部を有しているから、締結部の貫通方向の寸法が増加され、貫通方向の寸法が増加された分だけ剛性が向上され、さらに、補強部が設けられたことにより、電線保持部の剛性が向上されることとなり、よって、ボルト締めした際に生じる電線の反発力により電線保持部が変形することがなくなり、ボルト締結力が、電線保持部の締結部から離れた端部まで伝達（作用）される。よって、電線保持部の締結部から離れた端部が浮くことがなくなって、電線保持部と電線との接触状態を維持することができ、シールド性能の向上を図ることができる。即ち、締結部から電線保持部の端部までの距離に因らずとも、電線保持部と電線との接触状態を維持することができる。また、締結部を電線保持部の両端部に設けずとも、電線保持部と電線との接触状態を維持することができるから、大型化を抑制しつつ、シールド部材と電線との接触状態を維持することができるシールドコネクタを提供することができる。
【００１７】
また、このような構造を有することにより、締結部を電線保持部の両端部に設けずとも電線保持部と電線との接触状態を維持することができるから、締結部を両端部に設けた場合よりも締結するボルトの数が低減されることとなり、よって、作業工数の低減を図ることができる。
【００１８】
請求項２記載の本発明によれば、電線保持部には、複数の電線が並んで保持され、補強部が、複数の電線のうち締結部から最も離れた電線まで延在して設けられているから、ボルト締結力が、複数の電線のうち締結部から最も離れた電線まで伝達されることとなり、よって、電線保持部が保持する電線の本数が増加され、締結部から最も離れた電線までの距離が大きくなったとしても、電線保持部の締結部から離れた端部が浮くことがなくなって、シールド部材と電線との接触状態を確実に維持することができる。
【００１９】
請求項３記載の本発明によれば、補強部は、締結部から離れるに従って、電線保持部に近付く方向に傾斜するように形成されている。即ち、補強部の突出量が、締結部から離れるに従って低減するように形成されている。ここで、ボルト締結力は、締結部から離れるに従って徐々に小さくなるから、補強部の突出量が一定に形成されている場合には、ボルト締結力が、電線保持部の締結部から離れた端部まで伝達（作用）されない可能性があるが、本発明では、補強部の突出量が締結部から離れるに従って低減するように傾斜して形成されているから、補強部の突出方向の寸法が締結部から離れるに従って小さくされることとなり、ボルト締結力を、電線保持部の締結部から離れた位置まで伝達（作用）させ易くできる。よって、ボルト締結力が、電線保持部の締結部から離れた端部まで万遍なく伝達（作用）されることとなり、電線保持部の締結部から離れた端部が浮くことがなくなって、シールド部材と電線との接触状態を確実に維持することができる。
【００２０】
請求項４記載の本発明によれば、シールド部材には、一対の分割部を被取付部に取り付ける取付部が設けられ、取付部は、一対の分割部から電線の径方向の一方側に突出して設けられ、締結部は、電線保持部を挟んで取付部の反対側である電線の径方向の他方側に突出して設けられているから、取付部と締結部とが同じ方向側に設けられた場合と比較して、作業性よく、シールド部材を被取付部に取り付けることができる。
【図面の簡単な説明】
【００２１】
【図１】本発明の一実施の形態にかかるシールドコネクタを示す斜視図である。
【図２】図１中のＩ−Ｉ線に沿う断面図である。
【図３】図１中の矢視Ａが示す平面図である。
【図４】図１に示されたシールドコネクタの分解斜視図である。
【図５】図１中の矢視Ｂが示す平面図であるとともに、シールドコネクタを車体パネルに取り付ける様子を示す図である。
【図６】従来のシールドコネクタを示す斜視図である。
【発明を実施するための形態】
【００２２】
本発明の一実施の形態にかかるシールドコネクタを、図１〜図５を参照して説明する。シールドコネクタは、自動車などに配索されるワイヤハーネスを構成するものであり、ワイヤハーネスを構成して制御信号などを伝送する電線の端末に接続されて、この電線やコネクタの端子金具から外部へ漏洩する電気的なノイズ、又は、外部から電線や端子金具へ流入する電気的なノイズを除去するために用いられるものである。
【００２３】
シールドコネクタとしての雌側コネクタ１は、図１、図２に示すように、一対の雌端子２（端子金具）と、該一対の雌端子２を保持する直方体状の雌側ハウジング３（ハウジング）と、雌端子２に接続されるシールド電線４（電線）を電気的にシールドするシールド部材５と、を備えて構成されている。一対の雌端子２は、互いに間隔をあけて雌側ハウジング３に保持されている。各雌端子２は角筒状に形成され、一端部（図２中右方）が、図示しない雄側コネクタの雄端子に接続され、他端部（図２中左方）がシールド電線４の端末に接続されている。
【００２４】
ここで、本明細書では、雌端子２の軸方向を矢印Ｚで示し、軸方向に直交する方向の図１中の上下方向を矢印Ｙで示し、矢印Ｚと矢印Ｙとの双方向に直交する左右方向を矢印Ｘで示す。また、矢印Ｚ方向を前後方向と記す場合がある。この前後方向のうち、嵌合面側（図１中の右上方、図２中の右方）を「前方」と記し、（図１中の左下方、図２中の左方）を「後方」と記す場合がある。
【００２５】
各シールド電線４は、図２、図３に示すように、導体４０と、この導体４０の外周を覆う内部絶縁被覆４１と、この内部絶縁被覆４１の外周を覆う筒状のシールド編組４２と、このシールド編組４２の外周を覆う外部絶縁被覆４３と、を有して構成された同軸ケーブルから構成されている。このシールド電線４には、その前端部に接続された雌端子２と、外部絶縁被覆４３に外嵌されて水などの液体のシールド部材５内への浸入を防ぐパッキン４４と、シールド編組４２とパッキン４４とを加締めて固定するシールドパイプ４５と、パッキン４４と雌側ハウジング３との間に設けられて、水などの液体の雌側ハウジング３内への浸入を防ぐシール部材４６と、が装着されている。
【００２６】
シールド部材５は、図１に示すように、雌端子２を保持した雌側ハウジング３、及び、雌端子２に接続されたシールド電線４の前端側を覆う略楕円形の筒状に形成されている。このシールド部材５は、図４に示すように、雌側ハウジング３を収容するシールド本体６と、互いの間にシールド電線４を挟んで保持する一対の分割部７、８と、を備えている。このシールド部材５は、鋳造ないし鍛造することで形成される。一対の分割部７、８のうち一方（以下、第１分割部７と記す）は、図４中の下方に位置する第１分割部７であり、シールド本体６の後端に連続されて、シールド本体６と一体に形成されている。また、一対の分割部７、８のうち他方（以下、第２分割部８と記す）は、シールド本体６及び第１分割部７とは別体に設けられ、第１分割部７との間にシールド電線４を挟持することで、シールド電線４に外嵌されたシールドパイプ４５に電気的に接続される。換言すると、シールド電線４は、シールドパイプ４５を介して、シールド部材５に電気的に接続されている。また、第２分割部８は、請求項中の「一方の分割部」に相当する。
【００２７】
シールド本体６は、図４に示すように、雌側ハウジング３を収容する筒本体６１と、この筒本体６１の前端から左右方向（矢印Ｘ方向）の一方側に突出して形成されて、筒本体６１を図示しない電気機器の匡体（被取付部）に取り付ける取付部６２と、を備えている。筒本体６１には、第２分割部８の位置決め凸部８６と係合するように、筒本体６１を構成する上壁６Ａの一部を矩形状に切り欠いて形成されて、第２分割部８を筒本体６１に対して位置決める位置決め凹部６３が設けられている。この位置決め凹部６３は、筒本体６１の上壁６Ａの後端部を切り欠いて形成されている。ここで、取付部６２が取り付けられる電気機器の筐体は、導電性の金属から構成されていて、この被取付部にシールド部材５が取り付けられることで、筐体とシールド電線４とは、シールド部材５を介して電気的に接続される。この被取付部は、取付部６２の貫通孔６４に重ねられてボルト締結される貫通孔（図示しない）から構成されている。さらに、被取付部の近傍には、雌側コネクタ１が嵌合される嵌合部（図示しない）が設けられている。この嵌合部（雄側コネクタ）には、雄端子が収容されている。
【００２８】
取付部６２は、匡体と前後方向（矢印Ｚ方向）に対向する板状に設けられているとともに、前後方向に貫通する貫通孔６４を有して構成されている。そして、この取付部６２と被取付部とを重ねてボルトＢを貫通孔６４に螺合して締結することで、筒本体６１が匡体に取り付けてられている。
【００２９】
一対の分割部７、８は、図１、図４にも示すように、シールド電線４を挟んで保持した状態で、内周面が曲面から構成された一対の収容室９、９と締結部１０と、を有している。ここで、一対の収容室９、９及び締結部１０は、一対の分割部７、８、即ち、第１分割部７と第２分割部８とで構成されているから、第１分割部７は、一対の第１樋状部７Ａ、７Ａ（電線保持部）を有する第１本体部７０、及び、第１締結部７Ｂ（締結部）で構成され、第２分割部８は、一対の第２樋状部８Ａ、８Ａ（電線保持部）を有する第２本体部８０、及び、第２締結部８Ｂ（締結部）で構成されている。換言すると、第１本体部７０と第２本体部８０とが互いに対向してその縁同士が重ねられて、各第１樋状部７Ａと各第２樋状部８Ａとが各収容室９を構成し、第１締結部７Ｂと第２締結部８Ｂとが締結部１０を構成する。
【００３０】
一対の収容室９、９は、図１に示すように、左右方向（矢印Ｘ方向）に並んで設けられている。各収容室９は、第１樋状部７Ａと、第２樋状部８Ａと、を備えて構成されている。各収容室９は、その径寸法が前後方向に略一定に形成されている。また、各収容室９は、その周方向に間隔をあけて、該内周面から突出して形成された複数のリブ９０（図４に示す）を有している。このリブ９０は、シールド電線４に外嵌されたシールドパイプ４５に接触する程度の出寸法を有して構成されている。
【００３１】
また、各収容室９の後端部には、シールド電線４の後端側を外部に導出する導出部９ａが設けられている。導出部９ａの径方向の寸法は、収容室９の内径寸法よりも、小さくなるように形成されている。そして、一対の分割部７、８が、シールド電線４を挟んで保持した状態で、リブ９０にシールド電線４のシールドパイプ４５が接触され、導出部９ａとシールド電線４との間にはパッキン４４が介在されている。
【００３２】
締結部１０は、図１に示すように、一対の収容室９の左右方向（矢印Ｘ方向）の他方側（取付部６２の一対の収容室９を挟んで反対側）に設けられている。締結部１０は、第１分割部７に設けられた第１締結部７Ｂと、第２分割部８に設けられた第２締結部８Ｂと、を備えて構成されている。第１締結部７Ｂは、第２締結部８Ｂに重ねられ、第１、第２締結部７Ｂ、８ＢをボルトＢが貫通することで、第１本体部７０と第２本体部８０とを締結するように構成されている。
【００３３】
第１締結部７Ｂは、図４に示すように、上下方向に貫通する貫通孔７１が形成された円柱状に形成されている。この第１締結部７Ｂは、第１本体部７０のシールド本体６側の端部（前端部）に設けられている。この第１締結部７Ｂの上面７２（端面）は、第１本体部７０の第２本体部８０に重ねられる上縁（上端面）と略面一になるように形成されている。また、第１締結部７Ｂには、第２締結部８Ｂの位置決め片８４が挿入される片受け部７３が形成されている。
【００３４】
第２締結部８Ｂは、図３に示すように、上下方向に貫通する貫通孔８１（図４に示す）が形成された円柱状に形成されている。この第２締結部８Ｂは、外周面の一部が第２本体部８０に連続されているとともに、その上面８２が、第２本体部８０の上面よりも高い位置になるように、第２本体部８０よりも突出して形成されている。また、第２締結部８Ｂには、第１締結部７Ｂの片受け部７３に挿入されて第１締結部７Ｂと第２締結部８Ｂとを位置決めする位置決め片８４が設けられている。位置決め片８４は、第２締結部８Ｂから下方に突出して形成されている。
【００３５】
第２本体部８０には、図３に示すように、その後端面の第２締結部８Ｂ側の隅部に、切欠部８９が設けられている。
【００３６】
さらに第２本体部８０には、この第２本体部８０を補強する補強部８５が形成されている。この補強部８５を含む第２本体部８０は中実に設けられている。補強部８５は、第２本体部８０から上方に突出して設けられているとともに、第２締結部８Ｂの第２本体部８０から突出した部分に連続して形成されている。この補強部８５は、第２締結部８Ｂの上面８２から左右方向（矢印Ｘ方向）の一方側（シールド本体６の取付部６２が設けられた側）に向かうに従って、第２本体部８０に近付く方向に傾斜する３つの傾斜部８５Ａ、８５Ｂ、８５Ｃから構成されている。
【００３７】
ここで、第２本体部８０は、図４、図５にも示すように、補強部８５が形成された上面（傾斜部８５Ａ、８５Ｂ、８５Ｃ）と、この上面の左右方向（矢印Ｘ方向）の一方側に連続される曲面８７と、から構成された外周面を有している。この外周面の後端縁は、左右方向に沿った直線状の直線部８８ａと、この直線部８８ａに連続された円弧部８８ｂと、を有している。この直線部８８ａの左右方向の両端は、一対の収容室９、９に収容されたシールド電線４の各軸心よりも左右方向の外側まで設けられている。そして、この直線部８８ａの左右方向一方側の端部に連続されるとともに上面と曲面８７との境界に位置する縁８８ｃは、前後方向（矢印Ｚ方向）に沿って直線状に延在している。
【００３８】
３つの傾斜部８５Ａ、８５Ｂ、８５Ｃのうち、後方側に位置する第１傾斜部８５Ａは、図４、図５にも示すように、上面視が台形状に形成されていて、直線部８８ａの全長を含んで形成されているとともに第２締結部８Ｂの上面８２まで連続して形成されている。傾斜部８５Ｂは、上面視が台形状に形成されていて、傾斜部８５Ａの前方側に連続されるとともに、第２本体部８０の上面と曲面８７との境界部の縁８８ｃの全長を含んで形成され、かつ、第２締結部８Ｂの上面８２まで連続して形成されている。傾斜部８５Ｃは、上面視が三角形状に形成されていて、傾斜部８５Ｂの前方側に連続されるとともに第２本体部８０の上面の前端縁の全長を含んで形成され、かつ、第２締結部８Ｂの上面８２まで連続して形成されている。
【００３９】
このように補強部８５は、締結部１０から離れるに従って、第２本体部８０に近付く方向に傾斜するように形成されている。即ち、補強部８５の突出量が締結部１０から左右方向（矢印Ｘ方向）に離れるに従って低減するように傾斜して形成されているから、補強部８５の突出方向（上下方向）の寸法が、締結部１０から離れるに従って小さくされることとなり、ボルト締結力を、第２本体部８０の締結部１０から離れた位置まで伝達（作用）させ易くできる。さらに、補強部８５が、締結部１０から最も離れたシールド電線４（第２本体部８０の上面と曲面８７との境界部の縁８８ｃ）まで延在して設けられているから、ボルト締結力が、締結部１０から最も離れたシールド電線４まで伝達されることとなる。
【００４０】
次に、雌側コネクタ１の組み立て手順について説明する。シールド電線４にパッキン４４、シールドパイプ４５、シール部材４６、及び、雌端子２を取り付ける。そして、雌端子２を収容するように雌端子２に雌側ハウジング３を取り付ける。シールド部材５のシールド本体６を取付部６２側から、シールド電線４の後端末に近付けて、シールド本体６の内側に、シールド電線４を潜らせて、シールド本体６を雌側ハウジング３側、即ち前方側に移動する。すると、シールド本体６の内部に雌側ハウジング３が収容され、第１分割部７の第１樋状部７Ａにシールド電線４のシールドパイプ４５が装着された部分が位置する。この状態で、第２樋状部８Ａを第１樋状部７Ａに近付け、第１締結部７Ｂと第２締結部８Ｂとを近付け、第１締結部７Ｂと第２締結部８Ｂとの貫通孔７１、７２にボルトを螺合する。この際、第２締結部８Ｂは、その上面８２が、第２本体部８０の上面よりも高い位置になるように、第２本体部８０よりも突出して形成されているから、締結部８Ｂの貫通方向（上下方向Ｙ）の寸法が増加され、貫通方向の寸法が増加された分だけ、締結部８Ｂ（締結部１０）の剛性が向上され、さらに、補強部８５が設けられたことにより、第２本体部８０（第２樋状部８Ａ）の剛性が向上されることとなり、よって、ボルト締めした際に生じるシールド電線４に装着されたシールドパイプ４５の反発力により第２本体部８０が変形することがなくなり、ボルト締結力が、第２本体部８０の締結部７Ｂ、８Ｂ（締結部１０）から離れた端部まで伝達（作用）される。こうして、第１本体部７０と第２本体部８０との縁同士が重ねられて、第１樋状部７Ａと第２樋状部８Ａの内部に一対の収容室９、９が構成され、各収容室９の内周面に、シールド電線４に装着されたシールドパイプ４５が電気接触されて、雌側コネクタ１の組み立てが完了する。
【００４１】
次に、雌側コネクタ１を筐体（被取付部）に取り付ける手順について説明する。図５に示すように、シールドコネクタ１を、前端側から電気機器の筐体に近付けて、電気機器の嵌合部（雄側コネネクタ）に挿入する。こうして、雌側コネクタ１が、電気機器の雄側コネクタに嵌合される。この後、取付部６２を電気機器の被取付部に近付けて、ボルト締結する。この際、取付部６２は、一対の分割部７、８から左右方向の一方側に突出して設けられ、締結部１０は、一対の収容室９、９を挟んで取付部６２の反対側である左右方向の他方側に突出して設けられているから、締結部１０により作業を妨げられることなく、工具Ｇを設けるスペースを確保することができ、よって、作業性よく、シールド部材５を被取付部に取り付けることができる。このようにして、シールド部材５が筐体の被取付部に取り付けられることにより、シールド部材５が筐体を介して図示しないアース回路に電気接続されて、シールド電線４や雌側コネクタ１の雌端子２から外部へ漏洩する電気的なノイズ、又は、外部からシールド電線４や雌端子２へ流入する電気的なノイズが除去される。
【００４２】
なお、上述した実施形態では、締結部１０は、一対の収容室９の左右方向（矢印Ｘ方向）の他方側（取付部６２の一対の収容室９を挟んで反対側）に設けられていた。換言すると、収容室９は、締結部１０の片側のみに設けられていたが、本発明はこれに限定されるものではない。収容室９が、締結部１０の両側に設けられていてもよい。また、補強部８５は、第２分割部８のみに設けられていたが、本発明はこれに限定されるものではない。補強部８５は、第１分割部７のみに設けられていてもよく、第１分割部７と第２分割部８との両方に設けられていてもよい。
【００４３】
また、上述した実施形態では、シールドコネクタ１としての雌側コネクタ、端子金具としての雌端子２、ハウジングとしての雌側ハウジング３を一例として説明したが、本発明はこれに限ったものではない。シールドコネクタ１として雄側コネクタ、端子金具として雄端子、ハウジングとして雄側ハウジングであってもよい。
【００４４】
また、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００４５】
１      雌側コネクタ（シールドコネクタ）
３      雌側ハウジング（ハウジング）
５      シールド部材
７      第１分割部（分割部）
７Ａ    第１樋状部（電線保持部）
７Ｂ    第１締結部（締結部）
８      第２分割部（一方の分割部）
８Ａ    第２樋状部（電線保持部）
８Ｂ    第２締結部（締結部）
８５    補強部
【図１】
2015011947.tif 000003
【図２】
2015011947.tif 000004
【図３】
2015011947.tif 000005
【図４】
2015011947.tif 000006
【図５】
2015011947.tif 000007
【図６】
2015011947.tif 000008